(57)【特許請求の範囲】
【請求項１】
２本のプラスチック光ファイバの中間部を相互に溶着した光分岐結合器と、
前記光分岐結合器の一方のプラスチック光ファイバの一端に接続される発光素子と、
前記光分岐結合器の他方のプラスチック光ファイバの一端に接続される受光素子と、
前記光分岐結合器、前記発光素子及び前記受光素子を、前記光分岐結合器の入出力端となる２本の前記プラスチック光ファイバの他端側の端面がそれぞれ一の接続端面側に露出するように収容、保持するケーシングとを備え、
前記プラスチック光ファイバの他端側の端面は、それぞれのプラスチック光ファイバの光軸に対して所定角度で傾斜しており、
前記プラスチック光ファイバの他端側の端面と、その端面が露出しているケーシングの前記接続端面とが同一平面上に位置しており、
前記所定角度αが、
前記プラスチック光ファイバ内を進行する光がその他端側の端面において当該端面に沿って進むようにスネルの法則に基づいて設定されている光送受信装置。
【請求項２】
２本のプラスチック光ファイバの中間部を相互に溶着した光分岐結合器と、
前記光分岐結合器の一方のプラスチック光ファイバの一端に接続される発光素子と、
前記光分岐結合器の他方のプラスチック光ファイバの一端に接続される受光素子と、
前記光分岐結合器、前記発光素子及び前記受光素子を、前記光分岐結合器の入出力端となる２本の前記プラスチック光ファイバの他端側の端面がそれぞれ一の接続端面側に露出するように収容、保持するケーシングとを備え、
前記プラスチック光ファイバの他端側の端面は、それぞれのプラスチック光ファイバの光軸に対して所定角度で傾斜しており、
前記プラスチック光ファイバの他端側の端面と、その端面が露出しているケーシングの前記接続端面とが同一平面上に位置しており、
前記所定角度αが、
【数１】
0003575107.tif 000004
によって計算されている光送受信装置。
【請求項３】
請求項１又は請求項２記載の光送受信機と、これに１本の伝送用光ファイバを接続する光コネクタとを備える装置であって、
前記光コネクタは、
前記光分岐結合器を構成する一方のプラスチック光ファイバの他端に接続される前記伝送用光ファイバと、
前記光分岐結合器を構成する他方のプラスチック光ファイバの他端に接続される未使用端用光ファイバと、
前記伝送用光ファイバの接続端面及び前記未使用端用光ファイバの接続端面が一端側に露出すると共に、前記未使用端用光ファイバの開放端面が他端側に露出するように、前記伝送用光ファイバの端部及び前記未使用端用光ファイバを収容、保持するハウジングとを備え、
前記伝送用光ファイバの接続端面及び未使用端用光ファイバの接続端面と、これらの接続端面が露出する前記ハウジングの一端側の端面とが、同一平面内で前記光分岐結合器の接続端面に対応するように傾斜しており、
前記未使用端用光ファイバの開放端面が粗面処理されている、光送受信装置と光コネクタとを備える装置。
【請求項４】
請求項１又は請求項２記載の光送受信機と、これに１本の伝送用光ファイバを接続する光コネクタとを備える装置であって、
前記光コネクタは、
１本の伝送用光ファイバを請求項１記載の光送受信装置に接続するための光コネクタであって、
前記光分岐結合器を構成する一方のプラスチック光ファイバの他端に接続される前記伝送用光ファイバと、
前記光分岐結合器を構成する他方のプラスチック光ファイバの他端面を閉塞する接続端面を有し、この接続端面に前記伝送用光ファイバの接続端面が露出するように、前記伝送用光ファイバの端部を収容、保持したハウジングとを備え、
前記伝送用光ファイバの接続端面と前記ハウジングの接続端面とが、前記光分岐結合器の接続端面に対応して傾斜している、光送受信装置と光コネクタとを備える装置。
【発明の詳細な説明】
【０００１】
【産業上の利用分野】
この発明は、通信を目的に構築された光データリンクやファクトリオートメーションを目的とした光ファイバセンサ・ヘッドの使用に適した光送受信装置、特に光信号の送受信を１本の伝送用光ファイバを介して行うことができる光送受信装置、この光送受信装置とこれに伝送用光ファイバを接続するための光コネクタとを備える装置に関する。
【０００２】
【従来の技術】
光データリンク等における光信号の送信又は受信は、それぞれ異なる伝送路、即ち発光部に接続される光ファイバと受光部に接続される光ファイバによって個別に行われているが、このように送信側と受信側とに個別の伝送路を設けると、伝送路自体が大径化してその取り回しが難しくなると共に材料コストがアップするといった問題がある。
【０００３】
このため、光分岐結合器を用いて１本の伝送路で光信号の送受信を行うことが考えられている。具体的には、図１０に示すように、発光素子５１と受光素子５２とを組み込んだ送受信装置５０と光分岐結合器６０とをそれぞれ光コネクタ５３、６４を介して接続し、この光分岐結合器６０と伝送路としての光ファイバ７０とを光コネクタ６５を介して接続するようになっている。なお、この場合の光分岐結合器６０は、同図に示すように、２本のプラスチックファイバ６１、６２の中央部分を溶着した２×２チャンネルのファイバータイプのものが使用されている。
【０００４】
【発明が解決しようとする課題】
ところで、上述したように、送受信装置５０と光ファイバ７０とを光分岐結合器６０を介して個別に接続するようにすると、その接続部分で多くの光コネクタ５３、６４が必要となり、かかる接続部分において光損失や光反射が発生するので、確実に光信号の送受信が行えなくなるおそれがあるといった問題が発生する。
【０００５】
また、上述した接続部分の存在によって送受信装置５０の発光素子５１と光分岐結合器６０の分岐部６３との距離が大きくなると、高次モード（放射モード）の光成分は減衰して伝搬モード（導波モード）の光成分が大きくなるので、光分岐（光結合）が行われにくくなるといった問題が生じる。
【０００６】
さらに、上述したように、２×２チャンネルの光分岐結合器６０に受光素子５２、発光素子５１及び１本の光ファイバ７０を接続する場合は、光分岐結合器６０に開放された未使用端が存在することとなるので、発光素子５１から出力された光信号のうち未使用端側に分岐された光信号がその未使用端において端面反射される。このため、この反射光が妨害光として正規の受信信号と共に受光素子５２に入力されることとなって、受光素子５２の最小受信感度が低下するといった問題も生じることになる。
【０００７】
そこで、この発明の課題は、光損失や光反射が少ないと共に光分岐結合器における光分岐（光結合）が十分に行われ、１本の光ファイバによって光信号の送受信を行っても受光素子の最小受信感度が大きく低下しない光送受信装置、この光送受信装置とこれに伝送用光ファイバを接続するための光コネクタとを備える装置を提供することにある。
【０００８】
【課題を解決するための手段】
上記の課題を解決するため、この発明は、２本のプラスチック光ファイバの中間部を相互に溶着した光分岐結合器と、前記光分岐結合器の一方のプラスチック光ファイバの一端に接続される発光素子と、前記光分岐結合器の他方のプラスチック光ファイバの一端に接続される受光素子と、前記光分岐結合器、前記発光素子及び前記受光素子を、前記光分岐結合器の入出力端となる２本の前記プラスチック光ファイバの他端側の端面がそれぞれ一の接続端面側に露出するように収容、保持するケーシングとを備え、前記プラスチック光ファイバの他端側の端面は、それぞれのプラスチック光ファイバの光軸に対して所定角度で傾斜しており、前記プラスチック光ファイバの他端側の端面と、その端面が露出しているケーシングの前記接続端面とが同一平面上に位置しており、前記所定角度αが、前記プラスチック光ファイバ内を進行する光がその他端側の端面において当該端面沿って進むようにスネルの法則に基づいて設定されている光送受信装置を提供するものである。そして、前記所定角度αは、数１によって計算することができる。
【０００９】
また、１本の伝送用光ファイバを上述した光送受信装置に接続するためには、前記光分岐結合器を構成する一方のプラスチック光ファイバの他端に接続される前記伝送用光ファイバと、前記光分岐結合器を構成する他方のプラスチック光ファイバの他端に接続される未使用端用光ファイバと、前記伝送用光ファイバの接続端面及び前記未使用端用光ファイバの接続端面が一端側に露出すると共に、前記未使用端用光ファイバの開放端面が他端側に露出するように、前記伝送用光ファイバの端部及び前記未使用端用光ファイバを収容、保持するハウジングとを備え、前記伝送用光ファイバの接続端面及び未使用端用光ファイバの接続端面と、これらの接続端面が露出する前記ハウジングの一端側の端面とが、同一平面内で前記光分岐結合器の接続端面に対応するように傾斜しており、前記未使用端用光ファイバの開放端面が粗面処理されている光コネクタを使用することができる。
【００１０】
さらに、１本の伝送用光ファイバを上述した光送受信装置に接続するためには、前記光分岐結合器を構成する一方のプラスチック光ファイバの他端に接続される前記伝送用光ファイバと、前記光分岐結合器を構成する他方のプラスチック光ファイバの他端面を閉塞する接続端面を有し、この接続端面に前記伝送用光ファイバの接続端面が露出するように、前記伝送用光ファイバの端部を収容、保持したハウジングとを備え、前記伝送用光ファイバの接続端面と前記ハウジングの接続端面とが、前記光分岐結合器の接続端面に対応して傾斜している光コネクタを使用することもできる。
【００１１】
【作用】
請求項１に記載の光送受信装置は、受光素子、発光素子が光分岐結合器に接続された状態で一のケーシング内に収容されているので、受光素子及び発光素子と光分岐結合器とを接続するためのコネクタが不要となり、受光素子及び発光素子と光分岐結合器の溶着部分との距離が最小限に抑えられる。
【００１２】
また、前記プラスチック光ファイバの他端側の端面を、それぞれのプラスチック光ファイバの光軸に対して所定角度の傾斜面に調整する際は、ケーシングの接続端面全体を研磨等することで、２本のプラスチック光ファイバの他端側の端面が同時に、しかも同一角度に調整される。
【００１３】
請求項２に記載の光送受信装置では、発光素子から出射した光が光分岐結合器の入出力端で反射されて光分岐結合器内に逆行する反射光量が著しく低下する。
【００１４】
請求項３に記載の装置にかかる光コネクタは、未使用端用光ファイバの開放端が粗面処理されているので、接続した前記光送受信装置の発光素子から出射された光がその粗面処理された開放端で散乱し、端面反射されて光送受信装置内に逆行する反射光量が著しく低下し、しかもその開放端の近傍に光を反射する物体が存在する場合でも、その物体による反射光が前記開放端から未使用端用光ファイバ内に入射されにくい。
【００１５】
請求項４に記載の装置にかかる光コネクタは、光送受信装置の光分岐結合器を構成しているプラスチック光ファイバの未使用端がハウジングの接続端面によって閉塞されるので、光を反射する物体や光源が存在する場合にもその影響を受けない。
【００１６】
【実施例】
以下、実施例について図面を参照して説明する。図１ないし図３に示すように、この光送受信装置１０は、発光素子としての発光ダイオード１１、受光素子としてのフォトＩＣ１２、光分岐結合器１３及びケーシング１６とから構成されており、図１及び図３に示す光コネクタ２０を介して光信号の双方向の伝送を行う１本の伝送用光ファイバ２１が接続されるようになっている。
【００１７】
前記光分岐結合器１３は、図２に示すように、短い２本のプラスチック光ファイバ１４、１５の中央部分を互いに超音波溶着することによって分岐部（結合部）１３ａが形成されたファイバタイプのものであり、前記２本のプラスチック光ファイバ１４、１５の一端側にはそれぞれフォトトダイオード１１、フォトＩＣ１２が接続される。
【００１８】
前記ケーシング１６は、図２に示すように、ブタジエン・スチレン・メチルメタクリレート共重合体（以下、ＡＢＳ樹脂という）によって形成されており、このケーシング１６内に発光ダイオード１１、フォトＩＣ１２及び光分岐結合器１３を収容した状態で樹脂モールドすることによって、光分岐結合器１３を構成する２本のプラスチック光ファイバ１４、１５の一端に発光ダイオード１１、フォトＩＣ１２が接続されると共に入出力端となる２本のプラスチック光ファイバ１４、１５の他端側の端面１４ａ、１５ａが露出する、傾斜した接続端面１６ａが形成され、これら各部材がケーシング１６に一体化される。
【００１９】
そして、前記接続端面１６ａと共にプラスチック光ファイバ１４、１５の他端側の端面１４ａ、１５ａを研磨することによって、図４に示すように、その端面１４ａ、１５ａがプラスチック光ファイバ１４、１５の光軸に対して所定角度αで傾斜した無（低）反射面に形成される。なお、この角度αは以下に示す数式２（スネルの法則）に基づいて計算される。
【００２０】
【数２】
0003575107.tif 000002
【００２１】
また、前記ケーシング１６の接続端面１６ａには、図２に示すように、後述する光コネクタ２に対する位置決めと結合状態を保持する結合ピン１７が突出状態に設けられており、この結合ピン１７の先端部は大径に形成されている。
【００２２】
前記光コネクタ２０は、図３（ａ）、（ｂ）に示すように、前記光分岐結合器１３を構成する一方のプラスチック光ファイバ１４の他端に接続される前記伝送用光ファイバ２１と、他方のプラスチック光ファイバ１５の他端に接続される未使用端用光ファイバ２２と、これらを収容保持するＡＢＳ樹脂によって形成されたハウジング２３とから構成されており、前記光送受信装置１０と同様に、前記ハウジング２３内に前記伝送用光ファイバ２１の端部と未使用端用光ファイバ２２とを収容した状態で樹脂モールドすることによって、これらの光ファイバ２１、２２がハウジング２３に一体化されている。
【００２３】
前記ハウジング２３の一端側の接続端面２３ａは、前記光送受信装置１０の接続端面１６ａに対応して傾斜しており、この接続端面２３ａに前記伝送用光ファイバ２１の接続端面２１ａと未使用端用光ファイバ２２の接続端面２２ａとが露出している。また、ハウジング２３の他端側の端面２３ｂには、前記未使用端用光ファイバ２２の開放端面２２ｂが露出しており、この開放端面２２ｂには粗面処理が施されている。なお、この粗面処理は、例えば、紙やすりややすり等で端面をこすったり、加熱した紙やすりややすり等を端面に押し当てること等の方法によって行われる。
【００２４】
また、前記接続端面２１ａ、２２ａ、２３ａの傾斜角度は、前記光送受信装置１０の場合と同様に、前記接続端面２３ａと共に伝送用光ファイバ２１、未使用端用光ファイバ２２の一端側の端面２１ａ、２２ａを研磨することによって調整される。
【００２５】
また、この光コネクタ２の接続端面２３ａには、前記光送受信装置１０の結合ピン１７が挿入される孔２３ｃが形成されており、この孔２３ｃの奥は、結合ピン１７の先端部に対応して大径に形成されている。従って、図５に示すように、前記光送受信装置１０の結合ピン１７をこの孔２３ｃに挿入すると、位置決めされると共に孔２３ｃの大径部に結合ピン１７の大径部が嵌まり込んで結合状態がロックされる。
【００２６】
以上のように構成された光送受信装置１０と光コネクタ２０について、それぞれ端面反射に関する性能試験を行った。
【００２７】
（光送受信装置）
光送受信装置１０については、光分岐結合器１３の端面１４ａ、１５ａの光軸に対する角度を９０゜、７０゜、５０゜にした場合、さらに端面１４ａ、１５ａに粗面処理を施した場合について、図６に示す１つの実験モデルを設定してそれぞれの反射光量、反射光量分配率を求めて比較した。
【００２８】
図６に示す実験モデルは、光送受信装置１０に用いたファイバタイプの光分岐結合器１３を構成する各プラスチック光ファイバ１４、１５の一端側に発光ダイオードＬ、パワーメータＰを接続し、各プラスチック光ファイバ１４、１５の他端側については、その一方の端面１５ａを水中に浸すと共に他方の端面１４ａの傾斜角度又は表面状態を変化させたものである。
【００２９】
そして、前記発光ダイオードＬから一定光量の光を出射し、端面１４ａで反射されてプラスチック光ファイバ１５の一端側に戻ってくる光量及び端面１４ａから出射される光量をパワーメータＰで測定し、これら測定値と予め求めておいた光分岐結合器１３の分配比、過剰損失とに基づいて反射光量、反射光量分配率を求めると、表１に示すような結果となる。なお、この実験モデルの場合、プラスチック光ファイバ１５の他端側は水中に浸されているので、端面１５ａからの端面反射はないものと考えている。
【００３０】
【表１】
0003575107.tif 000003
【００３１】
ここで、表１に示す反射光量及び反射光量含有率の求めかたを傾斜角度が９０゜の場合について具体的に説明する。まず、▲３▼から９５．５μＷの光を入射して▲１▼、▲２▼から出射される光量を測定すると、▲１▼の出力が３３．７μＷ、▲２▼の出力が２７．７μＷであった。従って、分配比は、▲１▼：▲２▼＝１．２１６６：１であり、過剰損失＝（３３．７μＷ＋２７．７μＷ）／９５．５μＷ＝６１．４／９５．５であることが分かる。
【００３２】
次に、▲１▼から９５．５μＷの光を入射し、▲３▼において端面反射して▲２▼に戻ってくる反射光量をパワーメータＰで測定すると、表１に示すように、０．２３８μＷであった。この時、▲１▼に戻ってくる反射光量は、先程求めた分配比より、０．２３８μＷ×１．２１６６＝０．２９μＷであることが分かる。ここで、▲３▼から戻ってくるの全反射光量をｘμＷとすると、先程求めた過剰損失より、（０．２３８μＷ＋０．２９μＷ）／ｘμＷ＝６１．４／９５．５となり、反射光量ｘ＝０．８２μＷであることが分かる。
【００３３】
また、表１に示すように、▲１▼から９５．５μＷの光を入射して▲３▼から出射される光量が３４．１μＷであるので、反射光量含有率ｙ＝０．８２μＷ／（３４．１μＷ＋０．８２μＷ）＝０．０２３＝２．３％となる。
【００３４】
同様にして、傾斜角度が７０゜、５０゜及び粗面処理した場合の反射光量、反射光量分配率を求めると、それぞれ表１に示すような結果となり、端面の傾斜角度が７０゜の時に最も反射光量が小さいことが分かる。
【００３５】
また、このプラスチック光ファイバの場合について、上記数式２に基づいて無（低）反射面となる傾斜角度αを求めると、傾斜角度α＝６８゜となり、上述した実験結果と略一致していることが分かる。なお、この場合のコアの屈折率は１．５である。
【００３６】
（光コネクタ）
光コネクタ２０については、実際に前記光送受信装置１０に接続した状態で、前記未使用端用光ファイバ２２の開放端面２２ｂに粗面処理を施した場合と鏡面処理を施した場合とについて、開放端面２２ｂにおける端面反射による妨害光の影響を、受光素子であるフォトＩＣ１２を含むシステム全体としての最小受信感度という観点から比較した。
【００３７】
図７は、前記未使用端用光ファイバ２２の開放端面２２ｂに鏡面処理を施した場合の試験方法を示す図である。具体的には、まず、発振器３１側の発光ダイオード３２の発光出力を測定しておく。そして、スイッチＳがＯＦＦの状態、つまり発光ダイオード１１を消灯した状態で、発振器３１側の発光ダイオード３２を点灯してアッテネータ３３によって発光出力を調整しながら、オシロスコープ４１によって発振器３１と受光素子であるフォトＩＣ１２との間で通信が可能な最小レベル、即ち最小受信感度を測定する。この最小受信感度が開放端面２２ｂにおける端面反射による妨害光がない場合の最小受信感度となる。
【００３８】
次に、スイッチＳがＯＮ状態、つまり発光ダイオード１１を点灯した状態で、同様に最小受信感度を測定する。この最小受信感度が開放端面２２ｂにおける端面反射による妨害光がある場合の最小受信感度となる。
【００３９】
試験結果としては、発光ダイオード１１を点灯した状態での最小受信感度が−１９．２ｄＢｍ、発光ダイオード１１を消灯した状態での最小受信感度が−２５．１ｄＢｍであり、発光ダイオード１１の点灯時は、消灯時に比べて５．９ｄＢｍの感度低下が生じていることが分かる。
【００４０】
一方、図８は、前記未使用端用光ファイバ２２の開放端面２２ｂに粗面処理を施した場合の試験方法を示す図である。上述した試験方法では、オシロスコープ４１（図７）により、人間が視覚的に最小受信感度を決定しているが、この試験方法では、受光素子であるフォトＩＣ１２が実際に受信した光信号を受信器４２、バッファ４３を介してビットエラー試験器４４（エラーレート：１０−９）に送り、このビットエラー試験器４４からの出力信号によって発振器３１が実際に送信した光信号と、フォトＩＣ１２が実際に受信した光信号とをビットエラー試験器４４によって比較することで最小受信感度を決定しているので、上記試験方法に比べてより厳しい試験方法であるといえる。
【００４１】
試験結果としては、発光ダイオード１１を点灯した状態での最小受信感度が−２８．０４ｄＢｍ、発光ダイオード１１を消灯した状態での最小受信感度が−３０．４５ｄＢｍであり、発光ダイオード１１の点灯時は、消灯時に比べて２．４１ｄＢｍの感度低下が生じていることが分かる。
【００４２】
以上のように、前記未使用端用光ファイバ２２の開放端面２２ｂに鏡面処理が施されている場合に比べて粗面処理が施されている場合の方が感度低下が少なく、開放端面２２ｂにおける端面反射による妨害光の影響が少ないことが分かる。
【００４３】
また、上述した光コネクタ２０は、未使用端用光ファイバ２２の開放端面２２ｂに粗面処理を施しているが、表１に示す試験結果より、光送受信装置１０の未使用端を粗面処理するより所定角度で傾斜した鏡面加工した方が反射光量が小さくなるので、図９に示すように、前記未使用端用光ファイバ２２を設けずに光送受信装置１０の未使用端をハウジング２３の端面で閉塞することも考えられる。
【００４４】
以上のように構成された光送受信装置１０は、ケーシング１６内に発光ダイオード１１、フォトＩＣ１２が接続された光分岐結合器１３が収容、保持されているため、発光ダイオード１１、フォトＩＣ１２と光分岐結合器１３とをコネクタを介して接続する必要がなく、発光ダイオード１１、フォトＩＣ１２と光分岐結合器１３の分岐部１３ｃとの距離を最小限に設定することができる。このため、従来発生していたコネクタ部分における光損失や端面反射がなくなると共に発光ダイオード１１から出射される高次モードの光成分が減衰しない状態で光分岐結合器１３の分岐部１３ｃに到達するため、光分岐も確実に行われる。
【００４５】
また、光分岐結合器１３の入出力端であるプラスチック光ファイバ１４、１５の他端側の端面１４ａ、１５ａが無（低）反射面となるように、プラスチック光ファイバ１４、１５の光軸に対して所定角度αで傾斜しているため、発光ダイオード１１から出射した光の端面１４ａ、１５ａにおける反射光が妨害光としてフォトＩＣ１２に受光されにくく、最小受信感度が低下することなく、確実に光信号の送受信を行うことができる。
【００４６】
さらに、かかる無（低）反射面の調整に際しては、ケーシング１６の接続端面１６ａを研磨することで、２本のプラスチック光ファイバ１４、１５の端面１４ａ、１５ａを同時に、しかも同一角度に調整することができるので、加工工数が少なく、各出力レベルのばらつきも小さくなる。
【００４７】
また、以上のように構成された光コネクタ２０を使用して前記光送受信装置１０を接続すると、光分岐結合器１３のプラスチック光ファイバ１５の未使用端からの反射光量が著しく低下すると共にその未使用端の近傍に存在する光を反射する物体や光源の影響を受けることがなく、前記光送受信装置１０を用いた光通信を確実に行うことができる。
【００４８】
【発明の効果】
以上のように、請求項１の光送受信装置は、受光素子及び発光素子と光分岐結合器とを接続するためのコネクタが不要となるので、かかるコネクタ部分での光損失や光反射がなくなる。また、受光素子及び発光素子と光分岐結合器の溶着部分との距離が最小限に抑えられるので、発光素子から出射された光の内高次モードの光成分が光分岐結合器の分岐部（結合部）に到達しやすく、光分岐が行われ易くなると行った利点がある。
【００４９】
さらに、ケーシングの接続端面全体を研磨等することで、２本のプラスチック光ファイバの他端側の端面が同時に、しかも同一角度に調整されるので、加工工数の削減による生産性の向上を図ることができると共に各出力レベルのばらつきが小さくなるといった効果がある。
【００５０】
請求項２の光送受信装置では、光分岐結合器の入出力端における端面反射によって光分岐結合器内に逆行する反射光量が著しく低下するので、反射光による光信号の妨害を極力防止することができ、光信号の送受信を確実に行うことができる。
【００５１】
請求項３及び請求項４の装置にかかる光コネクタを使用すれば、未使用端からの反射光量が著しく低下すると共にその未使用端の近傍に存在する光を反射する物体や光源の影響を受けることがなく、光信号の送受信を確実に行うことができる。
【図面の簡単な説明】
【図１】この発明にかかる一実施例を示す概略図である。
【図２】同上の光送受信装置を示す斜視図である。
【図３】同上の光コネクタを示す斜視図である。
【図４】同上の光送受信装置における端面反射の様子を示す模式図である。
【図５】同上の光送受信装置と光コネクタとの連結部分を示す断面図である。
【図６】同上の光送受信装置に関する性能試験のための実験モデルを示す概略図である。
【図７】同上の光コネクタの性能試験装置を概略図である。
【図８】同上の光コネクタの性能試験装置を概略図である。
【図９】光コネクタの他の実施例を示す概略図である。
【図１０】従来例を示す概略図である。
【符号の説明】
１０  光送受信装置
１１  発光ダイオード
１２  フォトＩＣ
１３  光分岐結合器
１４、１５  プラスチック光ファイバ
１４ａ、１５ａ  端面
１６  ケーシング
１６ａ  接続端面
１７  結合ピン
２０  光コネクタ
２１  伝送用光ファイバ
２２  未使用端用光ファイバ
２１ａ、２２ａ  接続端面
２２ｂ  開放端面
２３  ハウジング
２３ａ  接続端面
２３ｃ  孔
【図１】
0003575107.tif 000005
【図２】
0003575107.tif 000006
【図３】
0003575107.tif 000007
【図４】
0003575107.tif 000008
【図５】
0003575107.tif 000009
【図６】
0003575107.tif 000010
【図７】
0003575107.tif 000011
【図８】
0003575107.tif 000012
【図９】
0003575107.tif 000013
【図１０】
0003575107.tif 000014